(57)【要約】      （修正有）【課題】部品点数を抑え、低コストで屋上設置物を設置することができるとともに、瓦の裏からの雨漏りを効果的に防止することができる支持金具の提供をする。【解決手段】支持金具１は、瓦葺き屋根に屋上設置物を取り付けるための支持金具であって、一又は複数の固定用貫通孔７を有し、重畳される一対の瓦間に軒棟方向に挿入固定される帯状の基板２と、この基板の軒側から垂設される脚部３と、この脚部の上端に形成される設置物取付部４とを備え、上記脚部の棟側面が軒棟方向と垂直面を基準として傾斜していることを特徴としている。上記脚部の棟側面の傾斜角が、軒棟方向と垂直面を基準として２０°以上９０°以下であるとよい。上記脚部が、角部を棟側に向けたＶ字状の断面形状を有しているとよい。【選択図】図１
0003162248.tif 000002
【実用新案登録請求の範囲】
【請求項１】
瓦葺き屋根に屋上設置物を取り付けるための支持金具であって、
一又は複数の固定用貫通孔を有し、重畳される一対の瓦間に軒棟方向に挿入固定される帯状の基板と、
この基板の軒側から垂設される脚部と、
この脚部の上端に形成される設置物取付部とを備え、
上記脚部の棟側面が軒棟方向と垂直面を基準として傾斜していることを特徴とする屋上設置物支持金具。
【請求項２】
上記脚部の棟側面の傾斜角が、軒棟方向と垂直面を基準として２０°以上９０°以下である請求項１に記載の支持金具。
【請求項３】
上記脚部が、角部を棟側に向けたＶ字状の断面形状を有している請求項１又は請求項２に記載の支持金具。
【請求項４】
上記脚部が、棟側に湾曲した半円筒状の断面形状を有している請求項１、請求項２又は請求項３に記載の支持金具。
【請求項５】
上記脚部が、その幅方向を軒棟方向に向けた帯状の板材を有している請求項１から請求項４のいずれか１項に記載の支持金具。
【考案の詳細な説明】
【技術分野】
【０００１】
本考案は、瓦葺き屋根に太陽電池モジュール等の屋上設置物を取り付けるための屋上設置物支持金具に関する。
【背景技術】
【０００２】
現在、クリーンエネルギーを利用する仕組みとして、太陽光発電システムや太陽光集熱システム等が普及している。このようなシステムに関し、例えば太陽光発電システムであれば、住宅等の屋根の上に太陽電池モジュールを設置し、この太陽電池モジュールを介して太陽光エネルギーを電気エネルギーに変換すること等によって実現される。かかるシステムは、二酸化炭素削減による温暖化防止策として有効で、今後もさらに広く利用されていくものと考えられる。
【０００３】
太陽電池モジュールを屋根に設置する方法としては、瓦や板金等の屋根材を介して野路板や垂木に所定の支持金具を取り付け、この支持金具の他端にラックシステムと呼ばれる取り付け構造体を設置し、この構造体に太陽電池モジュールを取り付けるという方法がよく用いられている。
【０００４】
具体的には、既存の瓦の重ね勾配部分に略Ｌ字状に形成された支持金具の基板を設置して瓦、野地板、桟木等に取り付け、この支持金具の脚部上端に縦レール部材を連結し、さらに複数の縦レール部材間に横レール部材を固定して、この横レール部材に太陽電池モジュールを固定するという方法等が採用されている。
【０００５】
しかし、従来の支持金具を用いてこのような取り付け方法を行った場合、支持金具の脚部と、この支持金具に重畳される瓦の軒側先端部分とが密着した状態で固定されることになる。その結果、雨天時等において、支持金具と瓦との密着部を介して雨が瓦の裏側に容易に浸入し、雨漏りを生じるという弊害が多発していた。これに対し、支持金具の脚部と瓦との間隔が一定に保たれるように固定することも考えられる。しかし、このような取り付け方法によると、基板の長さが長くなり、支持金具の強度が低下して、太陽電池モジュールを安定的に取り付けることができなかった。
【０００６】
他方、かかる雨漏りを防止するための取り付け構造として、既存屋根への太陽電池瓦葺き構造（特開２００３−３１４０１０号公報参照）等が発案されている。しかし、かかる既存屋根への太陽電池瓦葺き構造は、瓦の表面を防水シートで覆い、さらにこの防水シート上に所定のスペーサーを配置することが必要とされる。それ故、このような取り付け構造は、太陽電池モジュールを取り付けるための部品点数が多くなり、コスト面、資源面、作業面等の負担が大きくなる。
【０００７】
従って、太陽電池モジュール等の屋上設置物の取り付けに関しては、部品点数の増加を伴わず、安価な構造で、かつ効果的な雨漏り防止機能を有する取付部材の開発が望まれている。しかし、このような要求を満たす取付部材は現在のところ存在していない。
【先行技術文献】
【特許文献】
【０００８】
【特許文献１】特開２００３−３１４０１０号公報
【考案の概要】
【考案が解決しようとする課題】
【０００９】
本考案は、これらの不都合に鑑みてなされたものであり、低コスト性及び設置容易性に優れるとともに、効果的に雨漏りを防止することができる屋上設置物支持金具の提供を目的とするものである。
【課題を解決するための手段】
【００１０】
上記課題を解決するためになされた考案は、
瓦葺き屋根に屋上設置物を取り付けるための支持金具であって、
一又は複数の固定用貫通孔を有し、重畳される一対の瓦間に軒棟方向に挿入固定される帯状の基板と、
この基板の軒側から垂設される脚部と、
この脚部の上端に形成される設置物取付部とを備え、
上記脚部の棟側面が軒棟方向と垂直面を基準として傾斜していることを特徴とする屋上設置物支持金具である。
【００１１】
当該支持金具は、脚部の棟側面が軒棟方向と垂直面を基準として傾斜している。それ故、当該支持金具は、基板の長さに依存することなく、脚部と瓦との密着領域を減少させることができる。従って、当該支持金具は、高い強度を有し、屋上設置物を安定的に固定することができるとともに、雨天時等であっても、脚部の傾斜を利用して効果的に雨水を排出することができる。このように、当該支持金具は、脚部が所定の傾斜を有していることによって高い排水効果を得ることができるので、雨漏り防止用に特別の部材を必要とせず、部品点数を抑えることができる。また、当該支持金具は、部品点数の抑制により、製造コストを抑えることができる。さらに、当該支持金具は、屋上設置物を取り付けるうえで雨漏り防止のための特別な作業を必要としないので、作業効率性にも優れている。
【００１２】
上記脚部の棟側面の傾斜角が、軒棟方向と垂直面を基準として２０°以上９０°以下であるとよい。これにより、排水性をさらに向上させることができる。
【００１３】
上記脚部が、角部を棟側に向けたＶ字状の断面形状を有しているとよい。これにより、脚部と瓦とが当接する領域を限定することができ、雨漏り防止機能を向上させることができる。また、当該支持金具は、Ｖ字状の両側端を利用して左右方向から雨水等を効果的に排出することができる。当該支持金具は、脚部の断面形状が屈折していることにより、脚部が平板状に形成される場合と比較して、軒棟方向及び左右方向（軒棟方向と垂直な方向）に対する強度を高めることができる。その結果、当該支持金具は、取付状態における屋上設置物の安定性を高めることができる。
【００１４】
上記脚部が、棟側に湾曲した半円筒状の断面形状を有しているとよい。これにより、軒棟方向及び左右方向に対する強度をさらに高めることができ、ひいては取付状態における屋上設置物の安定性をさらに向上することができる。
【００１５】
上記脚部が、その幅方向を軒棟方向に向けた帯状の板材を有しているとよい。これにより、排水効率を著しく向上させることができる。
【考案の効果】
【００１６】
以上説明したように、本考案の屋上設置物支持金具は、部品点数の増加を伴わず、かつ低コストで屋上設置物を設置できるとともに、瓦の裏からの雨漏りを効果的に防止することができる。
【図面の簡単な説明】
【００１７】
【図１】本考案の一実施形態に係る支持金具を示す斜視図である。
【図２】図１の支持金具の取付構造を示す模式的断面図である。
【図３】図１の支持金具と異なる形態に係る支持金具を示す斜視図である。
【図４】図３の支持金具の取り付け構造を示す模式的断面図である。
【図５】図１、図３の支持金具と異なる形態に係る支持金具を示す斜視図である。
【図６】図１、図３、図５の支持金具とは異なる形態に係る支持金具を示す斜視図である。
【考案を実施するための形態】
【００１８】
以下、適宜図面を参照しつつ本考案の実施の形態を詳説する。
【００１９】
図１の支持金具１は、基板２と、脚部３と、設置物取付部４とを有している。
【００２０】
基板２は、帯状に形成されている。基板２は、略矩形状の平板部５と、この平板部５の長手方向端部から断面（平板部５の幅方向と垂直な断面）Ｌ字状に延設される固定部６と、固定部６に穿設される一又は複数（図１では２個を例示）の固定用貫通孔７とを有している。基板２は、重畳される一対の瓦間に軒棟方向に挿入固定される。
【００２１】
基板２の大きさは、特に限定されないが、一般的には、幅が１．５ｃｍ以上４．５ｃｍ以下、厚さが０．１ｃｍ以上０．５ｃｍ以下程度とされている。平板部５の長さ（長手方向の最短距離）は、図２に示すように、重畳される上側の瓦１５の軒側先端部から下側の瓦１４の棟側先端部までの距離と等しいか又はそれ以上であることが必要とされる。平板部５の長さは、瓦１５の軒側先端部分と瓦１４の棟側先端部分までの距離と近いほど好ましい。当該支持金具１は、平板部５の長さが短くなるほど強度を高めることができ、ひいては取り付けられる屋上設置物の安定性を高めることができる。固定部６の上下方向の長さは、図２に示すように、固定部６と野地板１２とを確実に固定するため、桟木１１及び桟木１１上に重ねられる瓦１４の高さを合わせた高さと同様か又はそれ以下とされている。当該支持金具１は、固定部６の上下方向の長さが桟木１１及び瓦１４の高さよりも短い場合、固定部６の下に所定の厚みを有するプレート（図示せず）を介することで、好適に取り付けることができる。固定部６の軒棟方向の長さは、特に限定されない。
【００２２】
基板２の材質としては、特に限定されないが、例えば、アルミニウム合金、ステンレス、銅、銅合金等の金属が用いられる。なかでも、基板２を形成する金属としては、ステンレスが好ましい。ステンレスは、高強度で、耐錆性、耐食性等にも優れているので、取り付けられる屋上設置物を長期かつ安定的に保持することができる。
【００２３】
脚部３は、基板２の軒側から垂設されている。脚部３は、棟側面の傾斜角が、軒棟方向と垂直面を基準として傾斜している。脚部３の幅及び厚さは、一般に、基板２と同様とされている。脚部３は、基板２と同様の材質によって形成される。
【００２４】
脚部３は、角部を棟側に向けたＶ字状の断面形状を有している。脚部３は、幅方向の中心部分に凸状に隆起した角部を有しており、この角部から左右対称に傾斜した形状を有している。
【００２５】
脚部３の長さは、図２に示すように、瓦１５よりも高い位置に縦レール部材１６を設置する関係上、瓦１５の高さよりも大きい。脚部３の長さは、瓦１５の高さよりも大きい限り特に限定されないが、一般的には、短いほど高い強度を得ることができる。
【００２６】
脚部３の棟側面の傾斜角は、軒棟方向と垂直面を基準として２０°以上９０°以下であることが好ましく、４５°以上９０°以下であることがさらに好ましい。脚部３は、かかる範囲の傾斜角を有することにより、排水性をさらに向上させることができる。
【００２７】
設置物取付部４は、幅方向の略中心に貫通孔８を有している。設置物取付部４は、脚部３の上端に形成されている。具体的には、設置物取付部４は、脚部３の長手方向と略垂直に、脚部３の上端に連結されている。設置物取付部４の長さは特に限定されない。
【００２８】
次に、図２を参照して、当該支持金具１の取付手順について説明する。
【００２９】
まず、当該支持金具１は、桟木１１の上に瓦１４が重ねられている状態において、平板部５及び固定部６の裏面と、瓦１４の表面及び側面とが隣接するように設置される。当該支持金具１は、かかる状態において、複数の固定用貫通孔７の上から、それぞれワッシャーをかませたうえで、ネジで螺合されることにより、野地板１２及び垂木１３に固定される。
【００３０】
次に、脚部３の角部と瓦１５の軒側先端とが当接された状態で、瓦１５が固定される。そして、設置物取付部４の上面に縦レール部材１６を載せ、貫通孔８と縦レール部材１６の貫通孔（図示せず）との位置を合わせる。続いて、設置物取付部４の下方から、ワッシャーをかませたうえで、ボルトに螺合されることにより、当該支持金具１と縦レール部材１６とが連結される。さらに、縦レール部材１６の上面からの突出したボルトの上端からナットを螺合することで、当該支持金具１と縦レール部材１６とは確実に固定される。
【００３１】
一本の縦レール部材１６は、複数の支持金具１によって、屋根上に固定される。縦レール部材１６は、屋根の軒棟方向と略平行かつ等間隔で、屋根上に複数本配設される。これらの複数の縦レール部材１６には、複数の横レール部材（図示せず）が格子状を形成するように固定され、これらの複数の横レール部材に屋上設置物（図示せず）が設置される。
【００３２】
当該支持金具１は、脚部３の棟側面が軒棟方向と垂直面を基準として傾斜している。それ故、当該支持金具１は、基板２の長さに依存することなく、脚部３と瓦１５との密着領域を減少させることができる。従って、当該支持金具１は、高い強度を有し、屋上設置物を安定的に固定することができるとともに、雨天時等であっても、脚部３の傾斜を利用して効果的に雨水を排出することができる。このように、当該支持金具１は、脚部３が所定の傾斜を有していることによって高い排水効果を得ることができるので、雨漏り防止用に特別の部材を必要とせず、部品点数を抑えることができる。また、当該支持金具１は、部品点数の抑制により、製造コストを抑えることができる。さらに、当該支持金具１は、屋上設置物を取り付けるうえで雨漏り防止のための特別な作業を必要としないので、作業効率性にも優れている。
【００３３】
当該支持金具１は、脚部３が角部を棟側に向けたＶ字状の断面形状を有しているので、脚部３と瓦１５とが当接する領域を限定することができ、雨漏り防止機能を向上させることができる。また、当該支持金具１は、Ｖ字状の両側端を利用して左右方向から雨水等を効果的に排出することができる。当該支持金具１は、脚部３の断面形状が屈折していることにより、脚部３が平板状に形成される場合と比較して、軒棟方向及び左右方向に対する強度を高めることができる。その結果、当該支持金具は、取付状態における屋上設置物の安定性を高めることができる。
【００３４】
当該支持金具１は、脚部３の幅方向の中心部分が凸状に隆起した角部に形成されており、この角部から左右対称な傾斜を有している。その結果、当該支持金具１は、この角部から左右方向に均等に排水を行うことができ、排水性を高めることができる。
【００３５】
図３の支持金具２１は、基板２２と、脚部２３と、設置物取付部２４とを有している。
【００３６】
基板２２は、略矩形平板状に形成されている。基板２２は、幅方向の略中心に穿設される固定用貫通孔２５を有している。
【００３７】
基板２２の大きさは、特に限定されないが、一般的には、幅が１．５ｃｍ以上４．５ｃｍ以下、厚さが０．１ｃｍ以上０．５ｃｍ以下程度とされている。基板２２の長さは、図４に示すように、固定用貫通孔２５から螺入したネジを桟木３１に螺合できるできるだけの長さがある限り特に限定されない。基板２２の材質としては、特に限定されないが、一般的には、支持金具１と同様の金属が用いられる。
【００３８】
脚部２３は、幅方向の中心から両側端にかけて、角部を棟側に向けた一対のＶ字状の断面形状を有している。脚部２３の幅及び厚さは、一般に、基板２２と同様とされている。脚部２３は、基板２２と同様の材質によって形成される。
【００３９】
脚部２３は、切欠部２６を有している。切欠部２６は、脚部２３の断面が棟方向に対して凹状に形成される部分に形成されている。具体的には、切欠部２６は、脚部２３の幅方向の中心部分に形成される凹状部分の下端側に形成されている。
【００４０】
切欠部２６の大きさは、特に限定されないが、凹状領域の大きさの１／１０以上２／３以下であることが好ましく、１／５以上１／２以下であることがさらに好ましい。また、切欠部２６は、脚部２３の下端を含む領域に形成されるのが好ましい。当該支持金具２１は、切欠部２６がこのような大きさ及び位置に形成されることにより、十分な強度を保ちつつ、かつ排水性を高めることができる。
【００４１】
設置物取付部２４は、幅方向の略中心に貫通孔２７を有している。設置物取付部２４は、脚部２３の長手方向と略垂直に、脚部２３の上端に連結されている。設置物取付部２４の長さは特に限定されない。
【００４２】
図４を参照して、当該支持金具２１の取付手順について説明する。
【００４３】
まず、桟木３１の上に瓦３４を設置する。続いて、瓦３４に穿設された貫通孔（図示せず）と基板２２の固定用貫通孔２５との位置を合わせ、当該支持金具２１を瓦３４上に配置する。そして、固定用貫通孔２５の上方から、ワッシャーをかましたうえで、ネジを螺合して、当該支持金具２１と桟木３１とを固定する。
【００４４】
次に、脚部２３の一対の角部と瓦３５の軒側先端とが当接された状態で、瓦３５を固定する。そして、設置物取付部２４の上面に縦レール部材３６を載せ、貫通孔２７と縦レール部材３６の貫通孔（図示せず）との位置を合わせる。続いて、設置物取付部２４の下方から、ワッシャーをかませたうえで、ボルトを螺合させ、当該支持金具２１と縦レール部材３６とを結合する。さらに、縦レール部材３６の上面から突出したボルトの上端からナットを螺合して、当該支持金具２１と縦レール部材３６とを確実に固定する。
【００４５】
当該支持金具２１は、脚部２３が幅方向の中心から両端にかけて、角部を棟側に向けた一対のＶ字状の断面形状を有していることにより、優れた排水性を保ちつつ、横方向及び縦方向に対する強度をさらに高めることができる。
【００４６】
当該支持金具２１は、脚部２３の傾斜による排水効率の向上に加えて、切欠部２６からの排水を行うことができる。その結果、当該支持金具２１は、強度及び排水性を共に向上させることができる。
【００４７】
図５の支持金具４１は、基板２２と、脚部４２と、設置物取付部２４とを有している。
【００４８】
基板２２及び設置物取付部２４については、支持金具２１と同様であるため、同一番号を付して説明を省略する。
【００４９】
脚部４２は、棟側に湾曲した半円筒状の断面形状を有している。その結果、当該支持金具４１は、軒棟方向及び左右方向に対する強度をさらに高めることができ、ひいては取付状態における屋上設置物の安定性をさらに向上することができる。
【００５０】
図６の支持金具５１は、基板２２と、脚部５２と、設置物取付部２４とを有している。
【００５１】
基板２２及び設置物取付部２４については、支持金具２１、４１と同様であるため、同一番号を付して説明を省略する。
【００５２】
脚部５２は、幅方向を軒棟方向に向けた帯状の板材に形成されている。その結果、当該支持金具５１は、排水効率を著しく高めることができる。当該支持金具５１は、脚部５２の上端が設置物取付部２４の幅方向の中心軸上で固定されている。また同時に、当該支持金具５１は、脚部５２の下端が基板２２の幅方向の中心軸上で固定されている。その結果、当該支持金具５１は、左右方向に対する高い安定性を保つことができる。
【００５３】
なお、本考案の支持金具は、上記態様の他、種々の変更、改良を施した態様で実施することができる。例えば、切欠部は、凹状に形成される部分以外の部分に形成されていてもよい。これにより、当該支持金具は、排水性をさらに高めることができる。また、切欠部は、一又は複数の水切り穴として形成されてもよい。脚部の形状は、上述の形状に限られるものではなく、少なくとも脚部の棟側面が軒棟方向と垂直面を基準として傾斜した形状を有している限り特に限定されない。当該支持金具は、屋上設置物として、太陽電池モジュール、太陽光集熱装置、表示装置、発光装置等、種々の装置を取り付けることができる。また、当該支持金具と屋上設置物との結合に際しては、必ずしも縦レール部材及び横レール部材を用いる必要はなく、周知の取付方法によって適宜取り付けることができる。当該支持金具は、和瓦、洋瓦、Ｓ型、波形、平型等、種々の瓦葺き屋根に対して使用することができる。
【産業上の利用可能性】
【００５４】
以上のように、本考案の支持金具は、部品点数を抑えつつ、低コストで屋上設置物を設置することができるとともに、瓦の裏からの雨漏りを効果的に防止することができる。従って、本考案の支持金具は、太陽電池モジュール、太陽光集熱装置、表示装置、発光装置等、種々の装置を屋上に設置するのに適している。
【符号の説明】
【００５５】
１  支持金具
２  基板
３  脚部
４  設置物取付部
５  平板部
６  固定部
７  固定用貫通孔
８  貫通孔
１１  桟木
１２  野地板
１３  垂木
１４  瓦
１５  瓦
１６  縦レール部材
２１  支持金具
２２  基板
２３  脚部
２４  設置物取付部
２５  固定用貫通孔
２６  切欠部
２７  貫通孔
３１  桟木
３２  野地板
３３  垂木
３４  瓦
３５  瓦
３６  縦レール部材
４１  支持金具
４２  脚部
５１  支持金具
５２  脚部
【図１】
0003162248.tif 000003
【図２】
0003162248.tif 000004
【図３】
0003162248.tif 000005
【図４】
0003162248.tif 000006
【図５】
0003162248.tif 000007
【図６】
0003162248.tif 000008